(57)【特許請求の範囲】
【請求項１】
概ね円筒形状を備えた上部分を有する汚水カートリッジであって、
管状壁（５６）と、
前記管状壁の外側周囲から、汚水（５５）を受けるための入口開口部（６４）に向かって下向きに傾斜する上側表面を有する上壁（６０）と、
前記開口部の概ね下方に配設された、前記受けられた汚水の少なくとも一部を一時的に保管するための入口コンパートメント（７８）と、
前記受けられた汚水の少なくとも一部を外部ドレイン（図示せず）まで移送するための前記入口コンパートメントと連通する出口コンパートメント（８０）と、
前記上壁から下向きに延びる、前記入口コンパートメントを出口コンパートメントから分離するための垂直の隔離板（７６）と、
前記上壁と前記入口コンパートメントの間に下向きに面する天井表面を画定する天井（９０）と、
前記天井を貫通して前記入口開口部から前記入口コンパートメントまで延びる喉部（８８）であって、前記天井より小さい領域を有する、喉部（８８）と、
前記外部ドレインに向けられた下側端部（１０６）と、所定の出口高さを画定する上側端部とを備えた、前記出口コンパートメント内のドレインチューブ（９８）とを備え、
前記入口コンパートメントおよび前記喉部が、その中に含有されたいかなる汚水上にも浮遊しそれによって前記受けられた汚水および前記外部ドレインからの悪臭に対する障壁として働く流体シーラント（５７）を含有するようになされた、汚水カートリッジにおいて、
前記天井表面が、前記喉部の下側端部から、前記管状壁および前記垂直の隔離板によって画定された前記入口コンパートメントの外側周囲まで外向きかつ下向きに延びる（図１１Ａ）ことを特徴とする、汚水カートリッジ。
【請求項２】
前記天井表面が、前記所定の出口高さの概ね下方にある（図１１）ことをさらに特徴とする、請求項１に記載の汚水カートリッジ。
【請求項３】
前記天井表面が、前記入口コンパートメントの前記外側周囲から前記喉部の下側表面に向かって上方向に傾斜し（図１１、１１Ａ）それによって前記シーラントおよびその中に混入されたいかなる空気も、前記喉部内に自由に流入する（図３、１１）ことをさらに特徴とする、前記請求項のいずれか一項に記載の汚水カートリッジ。
【請求項４】
前記シーラントの上側表面の大部分が、空気に露出されない（図３）ことをさらに特徴とする、前記請求項のいずれか一項に記載の汚水カートリッジ。
【請求項５】
前記喉部によって含まれる、前記障壁として働く前記シーラントの量が、前記入口コンパートメント内の前記汚水上に浮遊する前記天井の下方の前記シーラントのそのほかの量より少ない（図３、１１）ことをさらに特徴とする、前記請求項のいずれか一項に記載の汚水カートリッジ。
【請求項６】
悪臭障壁として働く前記シーラントの不在時、前記喉部の領域は、汚水の同様領域を含み、前記汚水領域だけが前記カートリッジ外部の空気に露出することを可能にし、それによって悪臭がカートリッジ外側の環境に発する機会をより少なくすることをさらに特徴とする、前記請求項のいずれか一項に記載の汚水カートリッジ。
【請求項７】
前記出力コンパートメントが、前記ドレインチューブ入口の上方の空気室から前記ドレインチューブ出口のすぐ上方の第２の空気室まで下向きに延びる（図１１、１３）シュノーケル（１１０）をさらに備え、前記シュノーケルは、前記外部ドレインからの空気を前記ドレインチューブの前記上側端部に流入させることを可能にし、それによって汚水の、前記ドレインチューブを通って前記入口コンパートメントから前記外部ドレインまでのいかなるサイホニングも防止することをさらに特徴とする、前記請求項のいずれか一項に記載の汚水カートリッジ。
【請求項８】
前記ドレインチューブが、さらに、前記チューブ内に形成された、前記汚水の流れを前記ドレインチューブの中心に向けてかつ前記ドレインチューブ壁から離れるように誘導するためのチャネルガイド機構を備え（図３４、３５、３９）、それによって前記汚水が、前記ドレインチューブの中心に向かって流れるように保たれて前記汚水中に含まれるいかなる沈殿物の堆積も回避することをさらに特徴とする、前記請求項のいずれか一項に記載の汚水カートリッジ。
【請求項９】
前記チャネルガイド機構が、３つの垂直に延びるリブ（１００）を含み、前記リブの中央の１つ（１００’）は、前記外側リブより短く、その結果、前記汚水の流れを前記ドレインチューブの中心に向けかつその壁から離れるように誘導することをさらに特徴とする、請求項８に記載の汚水カートリッジ。
【発明の詳細な説明】
【技術分野】
【０００１】
本発明は、悪臭防止油性シーラント閉鎖機構を有する水なし小便器に使用されるカートリッジなどのフロートラップに関し、特に悪臭を放出することに対する障壁として働く目的で必要とされる悪臭防止油性シーラントの量または体積における低減を含む、フロートラップの寿命および有用性を改良することに関する。
【０００２】
関連出願の相互参照
本出願は、２００９年３月１２日出願の米国特許仮出願第６１／２１０，１１５号および２００６年６月１６日出願の、表題「Ｕｒｉｎａｌ  Ｃａｒｔｒｉｄｇｅ  ｗｉｔｈ  Ｉｎｃｒｅａｓｅｄ  Ｓｅｄｉｍｅｎｔ  Ｃｏｌｌｅｃｔｉｏｎ」の米国特許出願第１１／８１２，２４２号および２００７年１月３日出願の、表題「Ｕｒｉｎａｌ  Ｃａｒｔｒｉｄｇｅ  ｗｉｔｈ  Ｉｍｐｒｏｖｅｄ  Ｐｅｒｆｏｒｍａｎｃｅ」の米国特許出願第６０／８７８，６３５号の利益を主張するものである。補助的利益もまた、いずれも２００５年１月９日出願の、米国特許出願第１１／０３２，３１０号（現在は２００９年８月１１日付け米国特許第７，５７１，７４１号）および米国特許出願第１１／０３２，５０８号（現在は２００９年８月１８日付け米国特許第７，５７５，０２２号）、ならびにそれらが利益を主張する出願において主張される。
連邦政府による資金提供に関する参照
該当無し
マイクロフィッシュ付属書への参照
該当無し
【背景技術】
【０００３】
サイホニングは、水なしトラップに伴う重大な問題である。清掃作業員は通常、バケツの水をトラップ上に勢いよくかけることによって個々のトラップを洗浄し、それによって悪臭を放つ汚水を流し出す。残念なことに、そのように勢いよくかけることは、排出または出口コンパートメントをその天井まで完全に満たすなどによってドレインスタンドまたはドレインチューブが過剰な水を受け入れる能力を低下させる恐れがあり、したがってサイホン作用を引き起こし、それによって汚水およびシーラントを入口コンパートメントから吸い上げる。この問題は、突発的な大量使用によるものなどの他の事象によっても生み出される恐れがある。事象の形態がどのようなものであれ、シーラントは失われ、それと共にその悪臭対抗能力も失われる。さらに、シーラントがそのような事象によって失われたとき、残存するシーラントは、悪臭障壁として働くのに十分な量でなければならない。しかし、入口コンパートメント内の汚水および汚水上に浮遊するシーラントの表面積が、カートリッジ開口部の下方で大きく露出されているとき、そのような残存するシーラントは、一定期間にわたり、その目的の役割を果たすのには不十分になっていき、したがってカートリッジの有用寿命を低下させることがあり、それ故にカートリッジの取り換えまたは場合によってはシーラントの補充のコストを増大させる結果となる。あるいは、カートリッジは、より大量のシーラントを不必要に組み込まなければならない。
【先行技術文献】
【特許文献】
【０００４】
【特許文献１】米国特許６，６４４，３３９号
【特許文献２】米国特許第５，７１１，０３７号
【特許文献３】米国特許第６，４２５，４１１号
【特許文献４】米国特許出願公開第２００５／０２２９２９７号
【発明の概要】
【課題を解決するための手段】
【０００５】
これらおよび他の問題が、本発明によって首尾よく対処され克服される。入口コンパートメントの天井は下げられ、喉部または他の小さい入口が、カートリッジ開口部と入口コンパートメントの天井の間に配置され、その結果、喉部の領域に対して悪臭障壁として働くために必要とされるシーラントの領域を、従来のカートリッジのより大きい露出領域に比べて低減する。さらに、シュノーケルが、ドレインスタンドまたはチューブ内に組み込まれる。さらに、ドレインスタンド内のリブが、汚水または尿の流れまたはチャネリングを改善する。
【０００６】
入口コンパートメント上方の天井を、実際には排出コンパートメント内のドレインスタンドの溢れレベルよりわずかに低く配置するように下げることにより、入口開口部下方の小さい領域を除いて、シーラント上方にはほとんどまたは全く空気を有さなくなり得る。これは悪臭を低減するが、その理由は、露出される液体領域がより小さいためである。
【０００７】
ドレインスタンドの領域が、詰まりを低減するために増大される。より大きい表面または溢れ領域が、汚水がそこから流入するトラップの中心に向かって存在しており、汚水が縁部を流れ落ちるまでに到達し得る高さを低減している。これはまた、汚水がドレインスタンドの全体表面を覆うという機会も低減する。
【０００８】
トラップ内への入口は、仕切られずに拡大され、したがって毛髪を捕捉しにくくなっている。
【０００９】
ドレインスタンドの溢れ端部は、水平表面を有していた従来のユニットとは対照的に、上向きに中心から離れるように角度付けられている。角度付けは、ドレインスタンドの上部が、バケツで勢いよくかける際などに液体によって完全に覆われるときに生じ得るサイホニングを回避する。汚水は、溢れレベルを十分上回った高さに到達して完全にまたは少なくともより良好にその開口部を水によって上まで満たし、いかなる空気ポケットも低減または解消するように押し出される。
【００１０】
チャネルガイドは、好ましくは、３つのものであり、トラップの中心に近い側の、ドレインスタンドの内部に配置され、中央のガイドは他方より短い（底部に到達していない）。トラップは通常、トラップの底部のすぐ下方にある、水平ドレインと共に使用される。汚水の流れを中心に向かって、トラップの中心に近いドレインスタンドの壁から離れるように誘導すると、汚水は、積み重なってユニットをブロックする沈殿物をハウジングの底部上に堆積せずにドレインの中心に流れるように保たれる。さらに、中央のガイドが底部に達しないことによって達成されるのは、２つの流れを中心に向かって一緒に移動させることである。
【００１１】
ドレインスタンドをシュノーケルから分離する壁は、シュノーケルの外側壁のすぐ下方まで下向きに延びている。
【００１２】
サイホニングは、「窓」を水流上に創出して配管空気トラップからドレインライン内に存在する空気流と接触することによって回避される。
【００１３】
シュノーケルは、ドレインからの空気を屋根のすぐ下方の排出コンパートメントの上側部分に送ることを可能にし、それにより、汚水がドレインスタンドの開口部を覆うようなことがあっても、空気は依然として流入し、サイホニングを防止することができる。
【００１４】
ドレインチャネルの拡大は、ドレインチューブ内の詰まりを低減または解消する。
【００１５】
他の目的および利点ならびに本発明のより完璧な理解は、以下の例示的な実施形態の説明およびその添付の図から明らかになるであろう。
【図面の簡単な説明】
【００１６】
【図１】本発明において組み込まれた小便器カートリッジの、その上部の方を下向きに見た斜視図である。
【図２】図１に描かれた小便器カートリッジの、その底部の方を上向きに見た斜視図である。
【図３】図１および２に描かれた、小便器カートリッジの断面の斜視図である。
【図３Ａ】図１および２に描かれた断面における、図３に示されたものから異なった角度の小便器カートリッジの斜視図である。
【図４】図１および２に示された小便器カートリッジの側面図である。
【図５】図４に示されたものから９０°向いた小便器カートリッジの側面図である。
【図６】図５に示されたものから１８０°向いた小便器カートリッジの側面図である。
【図７】図４に示されたものから１８０°向いた小便器カートリッジの側面図である。
【図８】図４に描かれたカートリッジの上面図である。
【図９】図８の切断線９に沿って切り取られたカートリッジの詳細図である。
【図１０】図４に描かれたカートリッジの底面図である。
【図１１】図４の線１１−１１に沿って切り取られた、図４に示されたカートリッジの断面図である。
【図１１Ａ】図１１の切断線１１Ａに沿って切り取られたカートリッジの詳細図である。
【図１２】図１１の切断線１２に沿って切り取られたカートリッジの詳細図である。
【図１３】図１１の切断線１３に沿って切り取られたカートリッジの詳細図である。
【図１４】図７の線１４−１４に沿って切り取られた、図７に示されたカートリッジの断面図である。
【図１５】図１０の線１５−１５に沿って切り取られた、図１０に示されたカートリッジの断面図である。
【図１６】図１５の切断線１６に沿って切り取られたカートリッジの詳細図である。
【図１７】前に描かれた小便器カートリッジの上部の、その上部の方を下向きに見た斜視図である。
【図１８】前に描かれた小便器カートリッジの上部の、その上部の方を下向きに見た、図１７に示されたものと類似しているがそこから９０°回転した斜視図である。
【図１９】前に描かれた小便器カートリッジの上部の、その下面において上向きに見た斜視図である。
【図２０】カートリッジ上部の側面図である。
【図２１】図２０の線２１−２１に沿って切り取られたカートリッジ上部の断面図である。
【図２２】カートリッジ上部の上面図である。
【図２３】図２２の線２３−２３に沿って切り取られたカートリッジ上部の断面図である。
【図２４】図２３の切断線２４に沿って切り取られたカートリッジの詳細図である。
【図２５】図２１に示されたものと類似するが、断面ではないカートリッジ上部の底面図である。
【図２６】図２５の線２６−２６に沿って切り取られたカートリッジ上部の断面図である。
【図２７】図２５の線２７−２７に沿って切り取られたカートリッジ上部の断面図である。
【図２８】図２６の切断線２８に沿って切り取られたカートリッジ上部の詳細図である。
【図２９】前に描かれた小便器カートリッジの底部の、その上部の方を下向きに見た斜視図である。
【図３０】図２９に描かれた小便器カートリッジの底部であるが、そこからある角度で回転され、その上部の方をいくいらか下向きに見た斜視図である。
【図３１】図２９に描かれた小便器カートリッジの底部の斜視図であるが、そこからある角度で回転され、その上部の方を本質的に下向きに見た斜視図である。
【図３２】図２９に描かれた小便器カートリッジの底部の、その底部の方を上向きに見た斜視図である。
【図３３】図３０と同じように見た、そこで描かれた図からわずかに回転させたカートリッジ底部の側面図である。
【図３４】カートリッジ底部の上面図である。
【図３５】図３３の線３５−３５に沿って切り取られたカートリッジ底部の断面図である。
【図３６】図３５の線３６−３６に沿って切り取られたカートリッジ底部の断面図である。
【図３７】図３６の切断線３７に沿って切り取られたカートリッジ底部の詳細図である。
【図３８】図３５の切断線３８に沿って切り取られたカートリッジ底部の詳細図である。
【図３９】図３４の線３９−３９に沿って切り取られたカートリッジ底部の断面図である。
【図４０】図３４の線４０−４０に沿って切り取られたカートリッジ底部の断面図である。
【図４１】図３４の線４１−４１に沿って切り取られたカートリッジ底部の断面図である。
【図４２】図３４の切断線４２に沿って切り取られたカートリッジ底部の詳細図である。
【発明を実施するための形態】
【００１７】
したがって、図１〜１８に示されるように、小便器ハウジング内に挿入されることが可能であるなどのカートリッジ５０は、上部または上部分５２と、底部または底部分５４とを含む。そのようなカートリッジは、時に、「油シーラント温存式ドレイン悪臭トラップ」と称されることがある。カートリッジ５０は、尿または他の概ね流体の老廃物用のフロートラップとして働くことができる。図３、１１、および１１Ａに示されるように、その中に尿を含んだ流体などの汚水５５および汚水上に浮遊する油性液体の悪臭シーラント５７が、カートリッジ内に含まれており、これは、上記で引用された出願第１１／８１２，２４２号、同第６０／８７８，６３５号、同第１１／０３２，３１０号および同第１１／０３２，５０８号で説明されている。
【００１８】
また、図１９〜２８を参照すれば、上部分５２は、下側端部において開口部５８および上側端部において上壁６０によって終端された管状壁５６によって画定された円筒形状を有する。上壁は、その外側縁部から平坦な、概ね水平である平坦な中心部分６２に向けて下向きに傾斜しており、その中に入口開口部６４が、尿入口として働くように配設されている（たとえば図１、３、３Ａ、８、１７、１８、２２および２３を参照）。穴６６が、中心部分６２内の中央に配置されている。上部分６０にはさらに、３つのキー６８が設けられ、その１つ６８’は、カートリッジ５０を小便器内に適切に置いて方向付けるという目的で、他の２つとは異なる長さのものでよく（たとえば図１〜６を参照）、これは、米国特許６，６４４，３３９号でより完全に説明されている。
【００１９】
上壁６０には、たとえば図５および１１に示されるように、その外側周囲に、Ｏリングシール７２などのシールを受け入れるためのくぼみ７０が設けられる。
【００２０】
上部分５２の上壁６０にはさらに、カートリッジ５０の内部と連通する換気口として働く開口部７４（たとえば図１、８、１１、１７および２３を参照）が設けられる。１つの開口部が、小便器が使用されているときに蒸発した尿残留物などによって詰まるようになる場合、少なくとも１つは開き続くことになる。開口部７４はまた、カートリッジを小便器内に挿入またはそこから取り外すという目的で工具を中に挿入することができる手段をもたらすが、これもまた、米国特許第５，７１１，０３７号および同第６，４２５，４１１号、および米国特許出願公開第２００５／０２２９２９７号に説明されている。
【００２１】
図３、３Ａ、１１、１４、１９、２３および２５に最適に示されるように、上部分５２の内部は、湾曲した垂直の隔離板７６によって２つのコンパートメント、それぞれ入口コンパートメント７８および出口コンパートメント８０に分割される（図１９、２１および２３を参照）。垂直の隔離板７６は、管状壁５６の内面および上壁６０の下面に任意の好都合な方法で固定または成形される。垂直隔離板の底端部は、バッフル８４に連結されるように配設された端部または終端部８２（図１１、１２および１６を参照）内で終端する。上部分５２および底部分５４が一緒に置かれ、底部分５４の排出セクション８６（図１０、１１、１４、２９−３６、３９、４０および４２）が出口コンパートメント８０内に延びるとき、入口コンパートメント７８および出口コンパートメント８０は、概ね等しい容積を有する。カートリッジの使用中、隔離板７６の両側の圧力が等しいままであることを保証するために、コンパートメントの容積をできるだけ等しくすることが重要である。そのように等しくもたらされた圧力は、サイホニングを最小限に抑える、あるいはコンパートメント間の、特に重要には入口コンパートメントから出口コンパートメントにシーラントを吸い上げるというサイホニングに対する抵抗を最大限にすることを助ける。したがってカートリッジの耐用寿命は、カートリッジの早期の故障を回避することによって改善される。さらに、液体流に対するいかなる障害も最小限に抑えられる。
【００２２】
上記で述べられた出願第１１／８１２，２４２号、第６０／８７８，６３５号、第１１／０３２，３１０号および第１１／０３２，５０８号から明確になり、図１、３、８、９、１１および１１Ａで示されるように、カートリッジ５０は、喉部８８を通じて汚水入口コンパートメント７８と連通する単一の入口６４を本質的に貫通して（より細かくは穴６６を介して）その外部へと開口している（たとえば図３、１１、１１Ａ、１５、１９、２１、２３、２５、２７、および２８を参照）。単一の入口６４には、バーを有する複数穴の入口とは対照的に、毛髪が入口内に捕捉される機会を低減するよう意図された三日月形状が設けられる。さらに、図３〜６、１１、１１Ａ、１５、１７、２３、２９、３０および３３で描かれるように、入口コンパートメント７８は、天井９０によってその上側側部が閉じられている。入口コンパートメントの上方のこの天井は、従来のカートリッジと区別されるように下げられており、それにより、排出コンパートメント内のドレインスタンドの溢れレベルよりわずかに低くなっている。したがって、入口開口部の下方の小さい領域および喉部８８内に残留する少量のシーラント５７以外は、シーラント上に空気は存在しない。さらに、喉部内に悪臭障壁として働くシーラントが存在していなくても、カートリッジ外部の空気にさらされる喉部内には小さい領域の汚水５５しか存在せず、したがってカートリッジ外側の環境に発する悪臭機会がより少なくなるはずである。
【００２３】
底部分５４は、図３、１１、および２９〜４２に描かれるように、パン９２およびそこから上向きに延びる排出セクション８６を備える。パンは、縁９６で終端する周囲壁９４を含み（たとえば図３６および３７を参照）、縁９６は、図１１、１３および１６でさらに見られるように管状壁５６とその下側端部の開口部５８において舌片−溝係合をもたらして上部分５２と底部分５４の間に流体密封係合をもたらす。パン９２の内面は、鋭角のコーナを防止するように丸められ、流体の流れを促進し、物質および細菌または他の残骸の堆積を阻止するために滑らかにされる。
【００２４】
上記で説明したように上部分５２の出口コンパートメント８０内に延びる上向きに延びる排出セクション８６は、出口コンパートメント８０と連通するチューブ９８を含み（図３、１１、１２、２９、３１、３２、３４、３５、３９、４０および４２を参照）、たとえば汚水流体および他の望ましくない物質などの流体を出口コンパートメントからドレインに排出するために、パン９２内の出口ポート領域１０６（図２、３、７、１１、１３、３０、３３、３５、３９および４２）において開口している。図２、７、１０、１１、１４、２９、３１、３２、３４、３５、３８、３９および４２によって描かれるように、チューブ９８の壁上に形成された３本の垂直に延びるリブまたはチャネルガイド１００によって、有向の流体の流れが実施される。チャネルガイドは、トラップの中心に近い側のドレインスタンドの内部に配置され、中央のガイド１００’（たとえば図２、３３および３９）は、他のものより短く、底部には到達していない。そのようなトラップは通常、トラップの底部のすぐ下方にある水平ドレインと共に使用される。汚水の流れをそのように中心に向かって、トラップの中心に近いドレインスタンドの壁から離れるように誘導することにより、汚水は、ドレインの中心に流れるように保たれ、これは、ハウジングの底部上の沈殿物の堆積を回避することを助けるが、そうでない場合、沈殿物は積み重なり、カートリッジをブロックする。さらに、中央のガイドが底部に到達していないため、２つの流れは、ドレインの中心に向かって一緒に移動しやすくなる。
【００２５】
図１０、１１、１３、１４、２９、３１、３４、３５および４２に示されるように、壁１０８は、排出セクション８６内に鋳着（ｃａｓｔ）されて排出セクション８６をドレインスタンド（ドレインチューブ９８）と、水平ドレイン（ドレインチューブ９８）のレベルのすぐ上方まで下向きに延びているシュノーケル１１０とに分離している。シュノーケルは、「窓」を水流上に創出して配管空気トラップからドレインライン内に存在する空気流と接触することによってサイホニングを回避する。特に、シュノーケルは、ドレインからの空気を（屋根または天井９０のすぐ下方の）排出コンパートメントの上側部分に送ることを可能にし、それにより、汚水がドレインスタンドの開口部を覆っても、空気は依然として流入していき、サイホニングを防止することができる。
【００２６】
キー１０２およびキー溝１０４（図１１、１３、１４、１９、２１、２６、２９〜３１、３３〜３５および４２を参照）が、管状壁５６の内部面および上向きに延びる排出セクション８６の後側にそれぞれ設けられる。キーおよびキー溝は、上部分５２と底部分５４の間の方向付けおよび適切な位置合わせをもたらし、キー６８と小便器の方向付け機構によって出口ポート領域１０６を外部ドレインに隣接して置くように配設される。
【００２７】
本発明は、その特定の実施形態に関して説明されてきたが、さまざまな変更および改変が、本発明の趣旨および範囲から逸脱することなく本発明に加えられることが認識されなければならない。
【図１】
0005494988.tif 000002
【図２】
0005494988.tif 000003
【図３】
0005494988.tif 000004
【図３Ａ】
0005494988.tif 000005
【図４】
0005494988.tif 000006
【図５】
0005494988.tif 000007
【図６】
0005494988.tif 000008
【図７】
0005494988.tif 000009
【図８】
0005494988.tif 000010
【図９】
0005494988.tif 000011
【図１０】
0005494988.tif 000012
【図１１】
0005494988.tif 000013
【図１１Ａ】
0005494988.tif 000014
【図１２】
0005494988.tif 000015
【図１３】
0005494988.tif 000016
【図１４】
0005494988.tif 000017
【図１５】
0005494988.tif 000018
【図１６】
0005494988.tif 000019
【図１７】
0005494988.tif 000020
【図１８】
0005494988.tif 000021
【図１９】
0005494988.tif 000022
【図２０】
0005494988.tif 000023
【図２１】
0005494988.tif 000024
【図２２】
0005494988.tif 000025
【図２３】
0005494988.tif 000026
【図２４】
0005494988.tif 000027
【図２５】
0005494988.tif 000028
【図２６】
0005494988.tif 000029
【図２７】
0005494988.tif 000030
【図２８】
0005494988.tif 000031
【図２９】
0005494988.tif 000032
【図３０】
0005494988.tif 000033
【図３１】
0005494988.tif 000034
【図３２】
0005494988.tif 000035
【図３３】
0005494988.tif 000036
【図３４】
0005494988.tif 000037
【図３５】
0005494988.tif 000038
【図３６】
0005494988.tif 000039
【図３７】
0005494988.tif 000040
【図３８】
0005494988.tif 000041
【図３９】
0005494988.tif 000042
【図４０】
0005494988.tif 000043
【図４１】
0005494988.tif 000044
【図４２】
0005494988.tif 000045